(57)【要約】      （修正有）【課題】  既にフォーム合成された原稿に対して、さらにフォーム合成が指示された場合、既存のフォーム部を削除、または、指示されたフォーム合成機能をキャンセルでき、文字列を複数回合成することなく、見やすい合成結果が得られる複合機を提供する。【解決手段】  合成が指定された場合、合成が指定された文字列（例：Ｃｏｎｆｉｄｅｎｔｉａｌ）があるかどうかをＯＣＲしてみる。ＯＣＲした結果、文字列が見つかった場合には合成を行わないようにして、なければ合成を行う。【選択図】  図２２
2006246167.tif 000002
【特許請求の範囲】
【請求項１】
原稿画像を読み取る読み取り手段と、読み取られた原稿画像を格納する格納手段と、所定の文字列を合成することを指示するユーザインタフェイス手段と、格納手段に格納された画像から文字認識する文字認識手段と、文字列画像をビットマップ画像に展開する展開手段と、展開画像と格納手段に格納された画像を合成する合成手段と、を有し、ユーザインタフェイス手段により指示された文字列が認識された場合、合成を行わないことを特徴とする画像処理装置。
【請求項２】
原稿画像を読み取る読み取り手段と、読み取られた原稿画像を格納する格納手段と、所定の文字列を合成することを指示するユーザインタフェイス手段と、格納手段に格納された画像から文字認識する文字認識手段と、文字列画像をビットマップ画像に展開する展開手段と、展開画像と格納手段に格納された画像を合成する合成手段と、を有し、ユーザインタフェイス手段により本機能が許可状態になっており、かつ、ユーザインタフェイス手段により指示された文字列が認識された場合、合成を行わないことを特徴とする画像処理装置。
【請求項３】
原稿画像を読み取る読み取り手段と、読み取られた原稿画像を格納する格納手段と、所定の文字列を合成することを指示するユーザインタフェイス手段と、格納手段に格納された画像から文字認識する文字認識手段と、文字列画像をビットマップ画像に展開する展開手段と、展開画像と格納手段に格納された画像を合成する合成手段と、を有し、ユーザインタフェイス手段により指示された文字列と同じ意味の文字列が認識された場合、合成を行わないことを特徴とする画像処理装置。
【請求項４】
請求項１及び２及び３の合成画像が画像送信処理される事を特徴とする画像処理装置。
【請求項５】
請求項１及び２及び３の文字列が、コピー禁止もしくは取り扱い注意を促す文字列である事を特徴とする画像処理装置。
【請求項６】
原稿画像を読み取る読み取り手段と、読み取られた原稿画像を格納する格納手段と、所定の文字列を合成することを指示するユーザインタフェイス手段と、格納手段に格納された画像からユーザインタフェイス手段で指示された合成種別が含まれるか否かを検出する合成種別検出手段と、文字列画像をビットマップ画像に展開する展開手段と、展開画像と格納手段に格納された画像を合成する合成手段と、を有し、合成種別検出手段により指示された合成種別が含まれる場合、その合成種別のエリアを背景色もしくは白で塗りつぶすマスク手段を施した後に、展開画像の合成処理を行うことを特徴とする画像処理装置。
【請求項７】
請求項２における合成種識別手段がページ番号である事を特徴とする画像処理装置。
【発明の詳細な説明】
【技術分野】
【０００１】
本発明は、本発明は、プリンタ、スキャナ、ファックス（ＦＡＸ）等を含む、デジタル複合機及びその制御方法、プログラム並びに記憶媒体に関し、特に、画像合成機能（以降合成と記載）を有する機器に有効となる。
【背景技術】
【０００２】
従来フォーム合成という機能があり、特定の用意されているフォームを合成する事で、ドキュメントに容易に付加情報をつけて印刷する事が可能であった。
【０００３】
たとえばＣｏｎｆｉｄｅｎｔｉａｌ、Ｄｒａｆｔ等の良く使用される主に文字を合成する。また、ページ番号を付加する事も可能である。
【０００４】
又、従来例としては、例えば特許文献１をあげることが出来る。
【特許文献１】特開平９−１６１０４９号公報
【発明の開示】
【発明が解決しようとする課題】
【０００５】
しかしながら、元の画像にすでにこのフォーム合成処理がされている場合、この処理を無条件に適用してしまった場合、さらに上に同じ意味の文字を重ねて合成してしまい、出力結果が見にくいものとなってしまう。また、ページ番号においては１つのページに２つのページ番号が混在してしまう事になる。
【課題を解決するための手段】
【０００６】
上記目的を達成するために本発明の請求項１のデジタル複合機は、フォーム合成を行うときに、すでに被合成画像を画像解析処理を施し、同種類のフォーム合成が検出された場合、フォーム合成を自動的に禁止／解除、もしくは、被合成画像の同種類のフォーム合成部に判断される部分を消去し、操作者が指示したフォーム画像を新たに合成することで対応する。
【発明の効果】
【０００７】
本発明によれば、既にフォーム合成された原稿に対して、さらにフォーム合成が指示された場合、既存のフォーム部を削除、または、指示されたフォーム合成機能をキャンセルする事が可能となる。これにより、文字列を複数回合成する事がないため、見やすい合成結果が得られる。
【発明を実施するための最良の形態】
【０００８】
以下、本発明の実施の形態を図面を参照して説明する。
【０００９】
図１は本発明に係る電子部品としてのコントローラ部が搭載された画像入出力装置（データ処理装置）の一実施の形態を示すブロック構成図であって、該画像入出力装置１００は、ＬＡＮ（Ｌｏｃａｌ  Ａｒｅａ  Ｎｅｔｗｏｒｋ）６００にてホストコンピュータ（本実施の形態では第一のホストコンピュータ６０１、第二のホストコンピュータ６０２）に接続されている。
【００１０】
上記画像入出力システム１００は、画像データの読取処理を行うリーダー装置（リーダー部）２００と、画像データの出力処理を行うプリンタ装置（プリンタ部）３００と、画像データの入出力操作を行うキーボード、及び画像データや各種機能の表示／設定などを行う液晶パネルを備えた操作部１５０と、リーダー装置２００を制御して読み込んだ画像データや、ＬＡＮ６００を介してホストコンピュータ６０１、６０２より受信したコードデータから生成される画像データを格納／保存できる画像記憶部１６０を装着し、これら各構成要素に接続されて該構成要素を制御する単一の電子部品からなる制御装置（コントローラ部）１１０で構成されている。
【００１１】
リーダー装置２００は、原稿用紙を搬送する原稿給紙ユニット２５０と、原稿画像を光学的に読み取って電気信号としての画像データに変換するスキャナユニット２１０とを有し、プリンタ装置３００は、記録用紙を収容する複数段の給紙カセットを備えた給紙ユニット３１０と、画像データを記録用紙に転写／定着するマーキングユニット（部）３２０と、印字された記録用紙にソート処理やステイプル処理を施し、外部に排出する排紙ユニット（部）３３０とを有している。
制御装置１１０は、リーダー部２００を制御して、原稿の画像データを読込み、プリンタ部３００を制御して画像データを記録用紙に出力してコピー機能を提供する。また、リーダー部２００から読取った画像データを、コードデータに変換し、ネットワーク６００を介してホストコンピュータ６０１，６０２へ送信するスキャナ機能、ホストコンピュータからネットワーク６００を介して受信したコードデータを画像データに変換し、プリンタ部３００に出力するプリンタ機能、その他の機能ブロックを有している。
【００１２】
図２はリーダー部２００及びプリンタ部３００の詳細を示す断面図である。
【００１３】
リーダー部２００では、原稿給送ユニット２５０に積層された原稿用紙がその積層順に従って、先頭から順次１枚ずつプラテンガラス２１１上へ給送され、スキャナユニット２１０で所定の読み取り動作が終了した後、読み取られた原稿用紙は、プラテンガラス２１１上の原稿を排出トレイ２１９に排出される。また、原稿用紙がプラテンガラス２１１上に搬送されると、ランプ２１２を点灯し、次いで光学ユニット２１３の移動を開始させ、原稿用紙を下方から照射し走査する。そして、原稿用紙からの反射光は、複数のミラー２１４、２１５、２１６、及び、レンズ２１７を介してＣＣＤイメージセンサ（以下「ＣＣＤ」と記す）２１８へ導かれ、走査された原稿画像はＣＣＤ２１８によって読み取られる。ＣＣＤ２１８で読み取られた画像データは、所定の処理が施された後、コントローラユニット１１０に転送される。
【００１４】
原稿給送ユニット２５０が原稿流し読み機能を有している場合、原稿給送部２５０に積層された原稿用紙は、原稿流し読み位置２４０を一定の速度で通過する。この場合、光学ユニット２１３は原稿流し読み位置２４０に移動し、等速で搬送される原稿をランプ２１２によって照射し、ＣＣＤ２１８によって随時読み取ることで画像データを生成し、コントローラユニット１１０に転送される。
【００１５】
次いで、プリンタ部３００では、コントローラ部１１０から出力された画像データに対応するレーザ光が、レーザドライバ３２１により駆動されるレーザ発行部３２２から発行され、感光ドラム３２３にはレーザ光に応じた静電潜像が形成され、現像器３２４により前記静電潜像の部分に現像剤が付着される。
【００１６】
一方、レーザ光の照射開始と同期したタイミングで、カセット３１１、カセット３１２、カセット３１３、カセット３１４、手差し給紙段３１５のいずれかから記録用紙が給紙されて転写部３２５に搬送路３３１により搬送され、感光ドラム３２３に付着している現像剤を記録用紙に転写する。画像データが転写された記録用紙は搬送ベルト３２６によって、定着部３２７に搬送され、定着部３２７における加熱・加圧処理により画像データが記録紙に定着される。定着部３２７を通過した記録紙は搬送路３３５、搬送路３３４を通り、排紙ビン３２８に排出される。印字面を反転して排紙ビン３２８に排出する場合には、搬送路３３６、搬送路３３８まで導かれ、そこから記録紙を逆方向に搬送し、搬送路３３７、搬送路３３４を通り、排紙ビン３２８に排出される。図に記していないが、排紙ビンの変わりに、排紙ユニットを装着することが可能で、排紙ユニットは排出された記録用紙を束ねて記録用紙の仕分け、仕分けされた記録用紙のステイプル処理などを行うことができる。
【００１７】
また、画像データを記録用紙に両面記録する場合は、定着部３２７を通過したあと、記録紙は、搬送路３３６からフラッパ３２９によって搬送路３３３に導かれ、その後、記録紙を逆方向に搬送し、フラッパ３２９によって搬送路３３８、再給紙搬送路３３２へ導かれる。再給紙搬送路３３２へ導かれた記録紙は上述と同様にして搬送路３３１を通り、転写部３２５へ給紙される。
【００１８】
図３は制御装置（コントローラ部）１１０の詳細を示すブロック図である。
【００１９】
すなわち、メインコントローラ１１１は、ＣＰＵ１１２と、バスコントローラ１１３と、後述する各種コントローラ回路を含む機能ブロックを内蔵すると共に、ＲＯＭ  Ｉ／Ｆ１１５を介してＲＯＭ１１４と接続され、ＤＲＡＭ  Ｉ／Ｆ１１７を介してＤＲＡＭ１１６と接続され、コーデックＩ／Ｆ１１８を介してコーデック１１９と接続され、また、ネットワークＩ／Ｆ１２３を介してネットワークコントローラ１２１と接続され、コネクタ１２２によりＬＡＮ６００との間で所定の制御動作を行う。
【００２０】
ＲＯＭ１１４は、メインコントローラ１１１のＣＰＵ１１２で実行される各種制御プログラムや演算データが確認されている。ＤＲＡＭ１１６は、ＣＰＵ１１２が動作するための作業領域や画像データを蓄積するための領域として使用される。コーデック１１９はＤＲＡＭ１１６に蓄積されたラスターイメージデータをＭＨ／ＭＲ／ＭＭＲ／ＪＢＩＧなどの周知の圧縮方式で圧縮し、また圧縮されたデータをラスターイメージに伸長する。また、コーデック１１９にはＳＲＡＭ１２０が接続されており、該ＳＲＡＭ１２０は前記コーデック１１９の一時的な作業領域として使用される。
【００２１】
また、前記メインコントローラ１１１はスキャナバス１４１を介してスキャナＩ／Ｆ１４０に接続され、プリンタバス１４６を介してプリンタＩ／Ｆ１４５に接続され、さらにＰＣＩバス等の汎用高速バス１２５を介して拡張ボードを接続するための拡張コネクタ１２４及び入出力制御部（Ｉ／Ｏ制御部）１２６に接続されている。
【００２２】
Ｉ／Ｏ制御部１２６はリーダ部２００やプリンタ部３００との間で制御コマンドを送受信するための調歩同期式のシリアル通信コントローラ１２７が２チャンネル装備されており、該シリアル通信コントローラ１２７はＩ／Ｏバス１２８を介してスキャナＩ／Ｆ１４０及びプリンタＩ／Ｆ１４５に接続されている。
【００２３】
スキャナＩ／Ｆ１４０は、第一の調歩同期シリアルＩ／Ｆ１４３及び第一のビデオＩ／Ｆ１４４を介してスキャナコネクタ１４２に接続され、さらに該スキャナコネクタ１４２はリーダ部２００のスキャナユニット２１０に接続されている。そして、スキャナＩ／Ｆ１４０はスキャナユニット２１０から受信した画像データに対し所望の２値化処理や、主走査方向及び／又は副走査方向の変倍処理を行い、またスキャナユニット２１０から送られてきたビデオ信号に基づいて制御信号を生成し、スキャナバス１４１を介してメインコントローラ１１１に画像データを転送する。
【００２４】
また、プリンタＩ／Ｆ１４５は、第２の調歩同期シリアルＩ／Ｆ１４８及び第２のビデオＩ／Ｆ１４９を介してプリンタコネクタ１４７に接続され、さらに該プリンタコネクタ１４７はプリンタ部３００のマーキングユニット３２０に接続されている。そして、プリンタＩ／Ｆ１４５はメインコントローラ１１１から出力された画像データにスムージング処理を施して該画像データをマーキングユニット３２０に出力し、さらにマーキングユニット３２０から送られたビデオ信号に基づいて、生成された制御信号をプリンタバス１４６に出力する。
【００２５】
そして、ＣＰＵ１１２は、ＲＯＭ１１４からＲＯＭＩ／Ｆ１１５を介して読み込まれた制御プログラムに基づいて動作し、例えば、第１及び第２のホストコンピュータ６０１、６０２から受信したＰＤＬ（ページ記述言語）データを解釈し、ラスターイメージデータに展開処理を行う。
【００２６】
また、バスコントローラ１１３は、スキャナＩ／Ｆ１４０プリンタＩ／Ｆ１４５、その他拡張コネクタ１２４等に接続された外部機器から入出力されるデータ転送を制御するものであり、バス競合時のアービトレーション（調停）やＤＭＡデータ転送の制御を行う。即ち、例えば、上述したＤＲＡＭ１１６とコーデック１１９との間のデータ転送や、スキャナユニット２１０からＤＲＡＭ１１６へのデータ転送、ＤＲＡＭ１１６からマーキングユニット３２０へのデータ転送等は、バスコントローラ１１３によって制御され、ＤＭＡ転送される。
【００２７】
また、Ｉ／Ｏ制御部１２６は、ＬＣＤコントローラ１３１及びキー入力Ｉ／Ｆ１３０を介してパネルＩ／Ｆ１３２に接続され、パネルＩ／Ｆ１３２は操作部１５０に接続されている。また、前記Ｉ／Ｏ制御部１２６は不揮発性メモリとしてのＥＥＰＲＯＭ１３５に接続され、またＥ−ＩＤＥコネクタ１６１を介して画像データの書き込み／読み出しが可能なハードディスクドライブ（ＨＤＤ）１６２に接続され、さらに、機器内で管理する日付と時刻を更新／保存するリアルタイムクロックモジュール１３３に接続されている。尚、リアルタイムクロックモジュール１３３はバックアップ用電池１３４に接続されて該バックアップ用電池１３４によりバックアップされている。
【００２８】
図４はメインコントローラ１１１の内部詳細を示すブロック構成図である。
【００２９】
プロセッサコア４０１は、６４ビットのプロセッサバス（ＳＣバス）を介して、システム・バス・ブリッジ（ＳＢＢ）４０２に接続される。ＳＢＢ４０２は４×４の６４ビットクロスバスイッチであり、プロセッサコア４０１の他に、キャッシュメモリを備えたＳＤＲＡＭやＲＯＭを制御するメモリコントローラ４０３と専用のローカルバス（ＭＣバス）で接続されており、さらに、グラフィックバスであるＧバス４０４、ＩＯバスであるＢバス４０５と接続され、全部で４つのバスに接続される。ＳＢＢ４０２は、これら４モジュール間を、可能な限り同時平行接続を確保することができるように設計されている。また、データの圧縮伸張ユニット（ＣＯＤＥＣ）４１８とも、ＣＯＤＥＣ  Ｉ／Ｆを介して接続されている。
【００３０】
Ｇバス４０４はＧバスアービタ（ＧＢＡ）４０６により協調制御されており、スキャナやプリンタと接続するためのスキャナ／プリンタコントローラ（ＳＰＣ）４０８に接続される。また、Ｂバス４０５は、Ｂバスアービタ（ＢＢＡ）４０７により協調制御されており、ＳＰＣ４０８のほか、電力管理ユニット（ＰＭＵ）４０９、インタラプトコントローラ（ＩＣ）４１０、ＵＡＲＴを用いたシリアルインタフェースコントローラ（ＳＩＣ）４１１、ＵＳＢコントローラ４１２、ＩＥＥＥ１２８４を用いたパラレルインタフェースコントローラ（ＰＩＣ）４１３、ＬＡＮコントローラ（ＬＡＮＣ）４１４、汎用入出力コントローラ（ＭＩＳＣ）４１５、ＰＣＩバスインタフェース（ＰＣＩＣ）４１６にも接続されている。
【００３１】
Ｂバスアービタ４０７はＢバス４０５を協調制御するアービトレーションであり、Ｂバス４０５のバス使用要求を受け付け、調停の後、使用許可が選択された一つのマスタに与えられ、これにより同時に２つ以上のマスタがバスアクセスを行うのを禁止している。尚、アービトレーション方式は３段階の優先権を有し、それぞれの優先権に複数のマスタが割り当てられる。
【００３２】
インタラプトコントローラ４１０は、上述した各機能ブロック及びコントローラユニット１１０の外部からインタラプトを集積し、ＣＰＵ４０１がサポートするコントローラ類４０８、４１１−４１６及びノンマスカブルインタラプト（ＮＭＩ）に再配分する。
【００３３】
電力管理ユニット４０９は機能ブロック毎に電力を管理し、さらに１チップで構成されている電子部品としてコントローラユニット１１０の消費電力量の監視を行う。すなわち、コントローラユニット１１０は、ＣＰＵ４０１を内蔵した大規模なＡＳＩＣ（特定用途向けＩＣ）で構成されており、このため全ての機能ブロックが同時に動作すると大量の熱を発生して、コントローラ部１１０自体が破壊されてしまう虞がある。
【００３４】
そこで、このような事態を防止するために各に機能ブロック毎に消費電力を管理し、各機能ブロックの消費電力量はパワーマネージメントレベルとして電力管理ユニット４０９に集積される。そして、該電力管理ユニット４０９では各機能ブロックの消費電力量を合計し、該消費電力量が限界消費電力を超えないように各機能ブロックの消費電力量を一括して監視する。
【００３５】
Ｇバスアービタ４０６は中央アービトレーション方式によりＧバス４０４を協調制御しており、各バスマスタに対して専用の要求信号と許可信号とを有する。尚、バスマスタへの優先権の付与方式として、全てのバスマスタを同じ優先権として、公平にバス権を付与する公平アービトレーションモードといずれか一つのバスマスタに対して優先的にバスを使用させる優先アービトレーションモードのいずれかを指定することができる。
【００３６】
図５は、操作部１５０の例を示す図である。
【００３７】
５００は、ユーザインタフェイスであり、種々のコピーモード（例えば、両面設定、グループ、ソート、ステイプル出力等）を設定することが可能である。なお、これらのコピーモード設定手段は、ハードキーであっても、タッチパネルに表示されるソフトキーであっても良い。５０１は、スタートボタンで、このボタンが押されたことを契機にコピー処理が開始される。
【００３８】
図６は、スタートボタン５０１押下によりコピー処理が開始された後に、コピーモードとして、原稿の読取り蓄積を繰り返し行う「連続読込モード」が選択されたときにユーザインタフェイス５００に表示される原稿読込設定画面５０２の例である。原稿読込設定画面５０２には、それまで読み込んだ画像を表示されるモードに入るための「確認」ボタン５０３と、それまで読み込んだ画像を一括出力するための「読込終了」ボタン５０４が備えられている。
【００３９】
図７は、原稿読込設定画面５０２で「確認」ボタン５０３が押下されたときに表示される読込画像確認画面で、５０５の領域にはそれまでに蓄積された画像の総ページ数および表示中のページ番号が表示される。５０６および５０７は、蓄積された画像のページを移動させる「ページ移動」ボタンで、５０６を押下すると前ページに、５０７を押下すると次ページに移動する。５０８および５０９は、確認用画像の拡大／縮小表示を行うための「拡大／縮小」ボタンで、５０８を押下すると確認用画像は縮小表示され、５０９を押下すると確認用画像は拡大表示される。５１０は、蓄積画像確認画面で、５０５に表示されているページの内容が表示される。５１１は「再読込」ボタンで、「再読込」ボタン５１１が押下されるとそのときに表示されていたページを記憶し、画像確認画面をクローズする。画像確認画面がクローズされると５０２の原稿読込設定画面に戻り原稿読込が可能になる。このとき、原稿読込は再読込モードで実行される。５１２は「閉じる」ボタンで、「閉じる」ボタン５１２が押下されると画像確認画面はクローズされる。原稿確認画面がクローズされると５０２の原稿読込設定画面に戻り原稿読込が可能になる。このとき、原稿読込は連続読込モードで実行される。
【００４０】
なお、上述の連続読込モードとは、読込んだ画像データが蓄積記憶された最後尾（最終画像）から再度画像データの蓄積記憶を行い、処理中に蓄積記憶された全画像データを１組の画像データとして扱うことを意味し、再読込モードとは、蓄積記憶された特定の画像データを、新たに読み込んだ画像データに置き換えることを意味する。また、何れの場合も原稿読込み指示はスタートボタン５０１押下により行われる。
【００４１】
図８は、連続読込コピー処理のフローチャートである。
【００４２】
Ｓ１００１では、スタートボタン５０１が押下されたことによるスタート指示がされたか否かを判別する。スタートボタン５０１が押下されていない場合はスタートボタン５０１が押下されるまでその判別を繰り返す。スタートボタン５０１が押下された場合はＳ１００２に進み、「連続読込モード」が選択されたかの確認を行う。Ｓ１００２にて「連続読込モード」が設定されていない場合、Ｓ１０１２に進み、通常のコピー処理を行い処理を終了する。「読込画像確認モード」が設定された場合、Ｓ１００３に進み、自動紙送り装置（ＤＦ）にセットされた原稿束の読込み、または、圧板上に置かれた原稿の読込みを行う原稿読込処理を実行する。処理が終了すると操作部１５０による指示が可能になる。Ｓ１００４では、画像記憶部１６０に蓄積された画像確認処理（プレビュー処理）の指示がされたか否かを判別する。画像確認処理実行が指示された場合、Ｓ１００５に進み画像確認処理（プレビュー処理）を行い、その後Ｓ１００６に進む。画像確認処理実行の指示が無い場合はＳ１００６に進む。Ｓ１００６では、「再読込」が指示されたか否かを判別する。再読込の指示はＳ１００５のプレビュー処理内で行われ、再読込の指示がされると、再読込の対象となるページの画像格納場所が記憶さる。再読込が指示されるとＳ１００７に進み、再読込の指示がされない場合はＳ１００８に進む。Ｓ１００７では、再読込指示がされた時に記憶されたページの画像データ破棄（削除）処理を実行する。その後、Ｓ１００３に戻り原稿読込処理を実行し、再読込み対象ページの画像データを置き換える。なお、原稿読込処理Ｓ１００３は、自動紙送り装置（ＤＦ）にセットされた全原稿の読込処理、圧板上に置かれた原稿の読込み処理の他、自動紙送り装置にセットされた原稿から指定枚数の読込処理を行うことが可能で、再読込み時は、読込枚数が１ページという指定がされる。Ｓ１００８は、連続読込処理中止の指示の判別を行う。Ｓ１００８で中止の指示があった場合はＳ１００９に進み、それまで読込蓄積した画像データの全てを破棄する読込画像破棄処理Ｓ１００９を実行した後、コピー処理を終了する。Ｓ１００８で中止の指示が無い場合はＳ１０１０に進む。Ｓ１０１０では読込終了指示の判別を行う。Ｓ１０１０で読込終了が指示された場合Ｓ１０１１に進み、それまで読込んだ画像データを全て印刷する読込画像印刷処理を実行した後、コピー処理を終了する。Ｓ１０１０で読込終了が支持されない場合はＳ１０１３に進み読込指示の判別を行う。Ｓ１０１３で読込の指示があった場合、Ｓ１００３に戻り原稿読込処理を実行する。Ｓ１０１３で読込の指示が無い場合はＳ１００４に戻る。つまり、操作部１６０による指示が何も無いときは、画像確認、再読込、中止、読込終了、読込の何れかの指示待ちになる。
【００４３】
図９は、原稿読込処理のフローチャートである。
【００４４】
Ｓ２００１では、自動紙送り装置（ＤＦ）の状態の判別を行う。ＤＦがオープンの時はＳ２００６に進み、圧板からの原稿読込処理を行い処理を終了する。ＤＦがクローズの時はＳ２００２に進み、ＤＦに原稿がセットされているか否かの判別を行う。ＤＦに原稿がセットされていない場合はＳ２００６に進み、圧板からの原稿読込処理を行い処理を終了する。ＤＦに原稿がセットされている場合はＳ２００３に進み、再読込処理が指示されているか否かの判別を行う。Ｓ２００３にて再読込が指示されていると判別した場合はＳ２００４に進み、ＤＦにセットされた原稿から１ページだけ画像を読込み処理を終了する。Ｓ２００３にて再読込が指示されていないと判別した場合はＳ２００５に進み、ＤＦにセットされた原稿の全ページの読込み処理を行い処理を終了する。
【００４５】
図１０は、蓄積画像確認（プレビュー）処理のフローチャートである。
【００４６】
Ｓ３００１では、蓄積画像の確認を行う画像格納先の指定がされているかの判別を行う。連続読込コピー処理で繰り返し読込まれる画像データは、実行中の連続読込コピー処理が使用している画像格納先である文書管理部９００のジョブ管理部９０２配下に管理されており、ジョブ管理部９０２を指定することで、それまでに読込蓄積した画像データの先頭ページから最終ページまでたどることが可能なように管理されている。Ｓ３００１で指定が無い場合は処理を終了する。つまり、プレビュー処理は実行されない。Ｓ３００１で指定があった場合はＳ３００２に進み蓄積された画像の先頭ページを特定する。Ｓ３００３では蓄積されている画像データから、蓄積画像確認画面５１０に表示する画像データの生成を行う。本実施例では、蓄積画像確認画面５１０に表示する直前に画像データの生成を行っているが、原稿読込蓄積時に蓄積画像確認画面表示用の画像データを生成し、オリジナル画像と対応付けて外部記憶部１６０に格納しておいても良い。Ｓ３００４では、Ｓ３００３で生成された画像データを蓄積画像確認画面５１０に表示する。Ｓ３００５は入力指示待ちで、入力指示をループして待っている。Ｓ３００６では次ページを表示する指示がされたかの判別を行い、次ページ表示の指示がされた場合はＳ３００７に進む。Ｓ３００７では蓄積されている画像データの最後尾かを判別し、最後尾であった場合はＳ３００５に戻り再度入力指示待ちになる。Ｓ３００７で最後尾で無いと判別した場合、Ｓ３００３に進み特定されたページの蓄積画像確認画面表示用の画像データの生成を行い処理を繰り返す。Ｓ３００８では、前ページ表示の指示がされたかの判別を行う。前ページ表示の指示がされた場合はＳ３００９に進み、蓄積されている画像データの先頭かの判別を行う。先頭と判別した場合はＳ３００５に戻り再度入力指示待ちになる。先頭で無いと判別した場合、Ｓ３００３に進み特定されたページの蓄積画像確認画面表示用の画像データの生成を行い処理を繰り返す。Ｓ３０１０では蓄積画像確認画面５１０に表示されている画像を縮小表示する指示がされたかの判別を行う。縮小表示が指示されたと判別した場合はＳ３００３に進み特定されたページの蓄積画像確認画面表示用の画像データの生成を行い処理を繰り返す。縮小表示の指示が無い場合Ｓ３０１１に進み、拡大表示の指示がされたかの判別を行う。Ｓ３０１１で拡大表示の指示がされたと判別した場合は指定された場合Ｓ３００３に進み特定されたページの蓄積画像確認画面表示用の画像データの生成を行い処理を繰り返す。拡大表示の指示が無い場合Ｓ３０１２に進み、画像再読込の指示がされたか判別を行う。Ｓ３０１２で画像再読込の指示がされた場合、Ｓ３０１３に進み、現在表示されているページが文書管理部９００のどこで管理されているか等を特定する識別情報を記憶（保持）し処理を終了する。ここで保持された情報が前述の画像読込処理に伝わり、再読込処理が実行される。Ｓ３０１２で再読込の指示が無い場合Ｓ３００５に戻り入力指示待ちとなる。
【００４７】
図１１は、制御装置１１０の内部ソフトウェア構造を示す図である。７００はコントローラソフトウェアであり、その中はプロトコル解釈部７０１、ジョブ制御部７０２、デバイス部７０３で構成されている。プロトコル解釈部７０１はホストコンピュータ６０１や、操作部１５０から、各インタフェース（４１１−４１４）を介して送られてきたコマンド（プロトコル）を解釈し、ジョブ制御部７０２に対してジョブの実行を依頼する。ジョブ制御部７０２は、プロトコル解釈部の依頼に基づき種々のジョブを実行する。デバイス部７０３は、画像入出力システム１００を構成する各ユニットを制御するドライバソフトを含み、ジョブ制御部７０２がジョブを実行する際に使用される。
【００４８】
図１２は、ジョブ制御部７０２の構造を示す図である。
【００４９】
同図において７００はコントローラソフトウェア、７０１はプロトコル解釈部、７０２はジョブ制御部、７０３はデバイス部である。ジョブ制御部７０２は、ジョブ生成部８００、ジョブ処理部８１０、ドキュメント処理部８２０、ページ処理部８３０、バンド処理部８４０、デバイス割り当て部８５０を有している。また、ジョブ処理部８１０は、ジョブ管理部８１１、バインダ管理部８１２、ドキュメント管理部８１３を有している。また、デバイス部７０３は、第１デバイス８５１、第２デバイス８５２及び第３デバイス８５３等複数のデバイスを有する事が可能となっている。
【００５０】
ホストコンピュータ６０１，６０２や、操作部１５０から送られてきた一連の操作依頼は、コマンド（プロトコル）という形で、各インタフェース（４１１−４１４）を介して送られてくる。送られてきたコマンドは、プロトコル解釈部７０１で解釈された後、ジョブ制御部７０２に送られる。この時点でコマンドは、ジョブ制御部７０２が理解できる形に変換される。
【００５１】
ジョブ生成部８００はジョブ８１４を生成する。ジョブ８１４にはコピージョブ、プリントジョブ、スキャンジョブ及びファックスジョブ等様々なジョブが存在する。プロトコル解釈部７０１により解釈されたプロトコルには、例えば、プリントジョブならば印刷する文書の名前や印刷部数、出力先の排紙トレイの指定等の種々の設定情報や、印刷データ自体（ＰＤＬデータ）等が含まれる。ジョブ８１４はジョブ処理部８１０に送られ処理が行われる。ジョブ処理部８１０は、ジョブを構成する複数のバインダの出力順など、ジョブ全体に関わる設定がされるジョブ管理部８１１、バインダを構成する複数のドキュメントの出力順など、バインダ全体に関わる設定がされるバインダ管理部８１２、ドキュメントを構成する複数のページの出力順など、ドキュメント全体に関わる設定がされるドキュメント管理部８１３を有し、ジョブ８１４全体に関する設定や処理が行われる。
更に、ジョブ処理部８１０では、ジョブ８１４全体に関する設定や処理以外は、ジョブ８１４を構成するさらに小さな仕事の単位であるバインダ８１５に分割し、また、バインダ８１５全体に関する設定や処理以外は、バインダ８１５を構成するさらに小さな仕事の単位であるドキュメント８１６に分割し処理する。ドキュメント８１６は入力ドキュメント８２１と１対１に対応付けされており、入力ドキュメント８２１は、ドキュメント処理部８２０により出力ドキュメント８２２に変換処理される。例えば、原稿の束をスキャナで読み取り、複数のイメージデータに変換するスキャンジョブを考えると、原稿の束に関する設定や操作の手順が書かれているのが入力ドキュメント８２１であり、複数のイメージデータに関する設定や操作の手順が書かれているのが出力ドキュメント８２２である。そして、紙の束を複数のイメージデータに変換する役割を持っているのがドキュメント処理部８２０である。
【００５２】
ドキュメント処理部８２０は、ドキュメント単位の入力ドキュメント８２１から出力ドキュメント８２２への変換処理を行い、ドキュメント全体に関する設定や処理以外は、更に小さな仕事の単位である入力ページ８３１に分割し、ページ処理部８３０に処理を依頼する。これは、ちょうどジョブ処理部８１５がジョブ単位の処理に専念して、更に細かい仕事のためにバインダ８１５、ドキュメント８１６を生成するのと同じである。ドキュメント単位の設定及び操作は、具体的にはページの並び替え、両面印刷の指定、表紙の付加、ＯＨＰ中差し等のページ順序に関するものである。
【００５３】
ページ処理部８３０は、ページ単位の入力ページ８３１から出力ページ８３２への変換処理を行う。例えば、上述のスキャンジョブの場合、入力ページ８３１には読み取りの解像度、読み取りの向き（ランドスケープ／ポートレイト）等の各種設定や、手順が書かれており、出力ページ８３２にはイメージデータの格納場所等の設定や手順が書かれている。
【００５４】
ここまでは、ジョブの単位を徐々に小さくして、ページの単位で扱えるようにすることを説明してきた。高価なシステムで１ページ分のページメモリを持てるならば、最終的にページ単位までジョブを細分化して処理すればよい。しかし、現実にはメモリのコスト等の問題から１ページ分のページメモリを持てない場合には、数ライン分のメモリ（バンドメモリ）でジョブ８１４を処理するシステムもある。このような場合、ページを更に細かい単位であるバンドに分割して変換処理を行う。それが入力バンド８４１、バンド処理部８４０、出力バンド８４２であり、これらの動作に関してはページの場合と同様である。
【００５５】
ジョブ処理部８１０、ドキュメント処理部８２０、ページ処理部８３０及びバンド処理部８４０は、いずれも処理を進める際に画像入出力システム１００を構成する種々の物理デバイスを使用する。当然、複数の処理部が同時に仕事を進めるとデバイスの競合が発生するので、それを調停するのがデバイス割り当て部８５０である。例として図に示した第１〜第３のデバイス８５１〜８５３は、デバイス割り当て部８５０により上述した各処理部に割り当てられる論理デバイスであり、例えば、ページメモリやバンドメモリ、原稿給紙ユニット２５０、マーキングユニット３２０エンジン及びスキャナユニット２１０等が考えられる。
【００５６】
図１３は、画像記憶部１６０に蓄積される画像データを管理する文書管理部９００の管理構造を示す図である。
【００５７】
文書管理部９００は、フォルダ管理部９０１、ジョブ管理部９０２、バインダ管理部９０３、ドキュメント管理部９０４、ページ管理部９０５で構成され、それぞれ管理情報（属性値）を持っている。文書管理部９００は、１つまたは複数のフォルダ管理部９０１で構成され、フォルダ管理部９０１の管理情報が格納されている。フォルダ管理部９０１は、１つまたは複数のジョブ管理部９０２で構成され、ジョブ管理部９０２の管理情報が格納されている。ジョブ管理部９０２は、１つまたは複数のバインダ管理部９０３で構成され、バインダ管理部９０２の管理情報が格納されている。さらに、ジョブ管理部９０２は、ジョブ制御部７０２において処理されるジョブ８１４の動作に必要な情報で、ジョブ管理部８１１に格納されている属性値を格納／保存することができる。バインダ管理部９０３は、１つまたは複数のドキュメント管理部９０４で構成され、ドキュメント管理部９０４の管理情報が格納されている。さらに、バインダ管理部９０３は、ジョブ制御部７０２において処理されるバインダ８１５の動作に必要な情報で、バインダ管理部８１２に格納されている属性値を格納／保存することができる。ドキュメント管理部９０４は、１つまたは複数のページ管理部９０５で構成され、ページ管理部９０５の管理情報が格納されている。さらに、ドキュメント管理部９０４は、ジョブ制御部７０２において処理されるドキュメント管理部８１３に格納されている属性値や、ドキュメント処理部８２０により処理された出力ドキュメント８２２の属性値を格納／保存することができる。ページ９０５は、画像記憶部１６０に保存された、スキャナで読込んだ１ページ分の画像データ、ホストコンピュータから送信されたＰＤＬを展開した１ページ分の画像データ、ＦＡＸで受信した１ページ分の画像データなどと対応付けられている。さらに、ページ管理部９０５は、ジョブ制御部７０２のページ処理部８３０により処理された出力ページ８３２の属性値を格納／保存することができる。つまり、文書管理部９００に保存された情報と、画像記憶部１６０に保存された画像データから画像蓄積時に投入されたジョブ８１４を再現することが可能である。また、保存されている情報を再設定することで投入時のジョブと異なる動作をさせることも可能である。
【００５８】
図１４は、該制御装置１１０で実行されるジョブ８１４の１つであるコピージョブの構成の一例を示す図である。
【００５９】
ホストコンピュータ６０１、６０２や、操作部１５０から送られてくる一連の操作依頼はコマンド（プロトコル）という形で、各インタフェース（４１１−４１４）を介して送られてくる。送られてきたコマンドは、プロトコル解釈部７０１で解釈され、ジョブ制御部７０２に送られる。この時点でコマンドはジョブ制御部が理解出来る形に変換されることになる。ジョブ生成部８００は、送られてきたコマンドを解釈し、コピージョブ１００１を生成し制御を依頼する。コピージョブ１００１はコピー動作を実現するための機能を有しており、スキャンジョブ１００２、イメージエージェントジョブ１００３、および、プリントジョブ１００６を生成し、これらの動作を制御することでコピー処理を実現する。イメージエージェントジョブ１００３は、イメージエージェントバインダ１００４を、イメージエージェントバインダ１００４は、イメージエージェントドキュメント１００５をというように、自身を構成する細かい単位に処理を依頼しそれぞれの動作を制御する。イメージエージェントドキュメント１００６は、ドキュメント処理部（紙→イメージ）１０１０の出力ドキュメントであるイメージドキュメント１０１１の生成を行う。生成されたイメージドキュメント１０１１は、イメージエージェントドキュメント１００５、イメージエージェントバインダ１００４、イメージエージェントジョブ１００３、コピージョブ１００１を経由しスキャンジョブ１００２、プリントジョブ１００６に伝達される。
【００６０】
スキャンジョブ１００２は、ドキュメント処理部（紙→イメージ）１０１０の入力ドキュメントであるスキャン紙ドキュメント１００９の生成を行った後に、ドキュメント処理部（紙→イメージ）１０１０を生成する。この時、ドキュメント処理部（紙→イメージ）１０１０に、入力ドキュメントのスキャン紙ドキュメント１００９、出力ドキュメントのイメージドキュメント１０１１が伝えられる。さらに、スキャンジョブ１００２は、ドキュメント処理部（紙→イメージ）１０１０に処理を依頼し動作の制御を行う。なお、スキャンジョブ１００２では、ジョブ処理部８１０で、スキャンジョブ１００２全体に関する設定や処理、およびバインダに関する設定や処理が行われる。スキャンジョブ１００２では、スキャナユニット２１０、スキャナ原稿ユニット２５０の物理的構造から、１回のスキャン動作は、１ジョブ、１バインダ、１ドキュメントの構成で制御可能なため、本実施例では、バインダ８１５、ドキュメント８１６を省略している。
【００６１】
スキャン紙ドキュメント１００９は、原稿に関する情報が属性として管理されており、また、イメージドキュメント１０１１は、読込み結果である画像データに関する情報が属性として管理される。これらの属性をもとに、ドキュメント処理部（紙→イメージ）１０１０は、入力ドキュメントであるスキャン紙ドキュメント１００９から出力ドキュメントであるイメージドキュメント１０１１への変換を制御する。ドキュメント処理部（紙→イメージ）１０１０は、ドキュメント単位の処理のみを行い、さらに細かい仕事は、小さな仕事の単位であるスキャン紙ページ１０１７、ページ処理部（紙→イメージ）１０１８、イメージページ１０１９で行われる。スキャン紙ドキュメント１００９は、原稿の枚数に対応したスキャン紙１０１４を順次生成する。スキャン紙１０１４は生成されると、原稿の処理順を制御するスキャナ紙管理部１０１６に識別子を付加して登録した後、スキャン紙ページ１０１７の生成を行う。スキャン紙ページ１０１７は原稿の表ページ／裏ページに対応しており、両面原稿の時は１つのスキャン紙１０１４に対して２つのスキャン紙ページ１０１７が生成される。スキャナ紙管理部１０１６は、スキャン紙１０１４に付加された識別子やデバイスの仕様（原稿読み取り順など）によりスキャン紙ページ１０１７の処理順序の決定を行う。スキャン紙ページ１０１７には原稿の各ページに関する情報が管理されており、イメージドキュメント１０１１により生成されるイメージページ１０１９には各ページの読込画像データに関する情報が管理される。ページ処理部（紙→イメージ）１０１８は、入力ページであるスキャン紙ページ１０１７から出力ページであるイメージページ１０１９への変換を制御する。また、ページ処理部（紙→イメージ）１０１８は、実際のスキャナデバイスを制御するためのシーケンスを把握しており、スキャナデバイス制御部１０２３に用意されたエンジン制御コマンドを発行することで原稿読み取り動作（スキャン動作）の制御を行う。また、スキャン紙ページ１０１７、イメージページ１０１９に管理されている属性を画像処理部１０２５ａに設定し制御することで、原稿を画像データとして画像記憶部１６０に蓄積させる。蓄積された画像データは、文書管理部９００にて管理されており、文書管理部９００を介して、読み出し、複製、移動、削除、等の操作をすることが可能である。また、画像処理部１０２５ａ、１０２５ｂには、解像度変換、符号変換などの制御を含んでいる。
【００６２】
一方、プリントジョブ１００６は、ジョブ全体に関わる設定や処理以外は、さらに小さな仕事の単位であるプリントバインダ１００７分割し、バインダ全体に関わる設定や処理以外は、さらに小さな仕事の単位であるプリントドキュメント１００８に分割し、プリント処理全体に関する設定や処理の制御を行う。プリントドキュメント１００８は、ドキュメント処理部（イメージ→紙）１０１２の出力ドキュメントであるプリント紙ドキュメント１０１３の生成を行った後に、ドキュメント処理部（イメージ→紙）１０１２を生成する。この時、ドキュメント処理部（イメージ→紙）１０１２に、入力ドキュメントのイメージドキュメント１０１１、出力ドキュメントのプリント紙ドキュメント１０１３が伝えられる。さらに、プリントドキュメント１００８は、ドキュメント処理部（イメージ→紙）１０１２に処理を依頼し動作の制御を行う。プリント紙ドキュメント１０１３には、印刷出力に関する情報が属性として管理されており、イメージドキュメント１０１１には、画像データに関する情報が属性として管理されている。これらの属性をもとに、ドキュメント処理部（イメージ→紙）１０１２は、入力ドキュメントであるイメージドキュメント１０１１から出力ドキュメントであるプリント紙ドキュメント１０１３への変換を制御する。ドキュメント処理部（イメージ→紙）１０１２は、ドキュメント単位の処理のみを行い、さらに細かい仕事は、小さな仕事の単位であるイメージページ１０１９、ページ処理部（イメージ→紙）１０２０、プリント紙ページ１０２１で行われる。
【００６３】
プリント紙ドキュメント１０１３は、印刷出力する枚数分のプリント紙１０１５を順次生成する。プリント紙１０１５は生成されると、印字の処理順を制御するプリンタ紙管理部１０２２に識別子を付加して登録した後、プリントン紙ページ１０２１の生成を行う。プリント紙ページ１０２１は出力用紙の表ページ／裏ページに対応しており、両面印刷の時は１つのプリント紙１０１５に対して２つのプリント紙ページ１０２１生成される。プリンタ紙管理部１０２２は、プリント紙１０１５に付加された識別子やデバイスの仕様（内部循環枚数や両面出力時の紙制御順など）によりプリント紙ページ１０２１の処理順序の決定を行う。プリント紙ページ１０２１には印字する各ページに関する情報が管理されており、イメージページ１０１９には各ページの画像データに関する情報が管理されている。ページ処理部（イメージ→紙）１０２０は、入力ページであるイメージページ１０１９から出力ページであるプリント紙ページ１０２１への変換を制御する。また、ページ処理部（イメージ→紙）１０２０は、実際のプリンタデバイスを制御するためのシーケンスを把握しており、プリンタデバイス制御部１０２４に用意されたエンジン制御コマンドを発行することで印刷動作（プリント動作）の制御を行う。また、イメージページ１０１９、プリント紙ページ１０２１に管理されている属性を画像処理部１０２５ｂに設定し制御することで、画像記憶部１６０に蓄積された画像データを印刷用紙に印字する。
【００６４】
このような一連の動作によりより小さな仕事の単位である処理部に制御を任せて行くことで、コピー動作を実現することが可能となる。
【００６５】
図１５は、図１４に記述できなかった、コピージョブ実行時に行われる文書管理９００への属性格納の例を抜粋した図である。前述の通り（図１３）、文書管理部９００は、フォルダ管理部９０１、ジョブ管理部９０２、バインダ管理部９０３、ドキュメント管理部９０４、ページ管理部９０５で構成され、それぞれが管理情報（属性値）を持っている。ジョブ制御部７０２において処理されるジョブ８１４の動作に必要な情報で、ジョブ管理部８１１に格納されている属性値は、イメージエージェントジョブ１００３により文書管理部９００のジョブ管理部９０２に格納／保存され、ジョブ制御部７０２において処理されるバインダ８１５の動作に必要な情報で、バインダ管理部８１２に格納されている属性値は、イメージエージェントバインダ１００４により文書管理部９００のバインダ管理部９０３に格納／保存され、ジョブ制御部７０２において処理されるドキュメント管理部８１３に格納されている属性値や、ドキュメント処理部８２０により処理された出力ドキュメント８２２の属性値は、出力ドキュメントに該当するイメージドキュメント１０１１により文書管理部９００のドキュメント管理部９０４に格納／保存され、ジョブ制御部７０２のページ処理部８３０により処理された出力ページ８３２の属性値は、出力ページに該当するイメージページ１０１９により文書管理部９００のページ管理部９０５に格納／保存される。
【００６６】
本発明における特徴的な部分の詳細について述べる。
【００６７】
＜本発明の合成方法、フォーム合成の説明＞
図１６〜図１８はフォーム合成の図となる。
【００６８】
図１６の定型の文字をフォーム合成する場合について説明する。
【００６９】
操作者が３００１被合成画像を印刷する際に、該文書が機密文書であるため、Ｃｏｎｆｉｄｅｎｔｉａｌ扱いである事を意味する付加情報３００２を付加して３００４のような出力画像を得るのが目的となる。以前はこのような要求は人の手によるスタンプ押下で処理されており、この機能を画像出力装置システムに取り込んだ画期的な機能である。
【００７０】
３００１は被合成文書である。これは紙による媒体をスキャナで取り込んだ画像情報を意味し、例えばＪｐｅｇ等で圧縮され記憶装置内に格納されている画像等も含まれる。３００２は定型の文字（本実施例ではＣｏｎｆｉｄｅｎｔｉａｌで説明を行う）のビットマップ画像である。３００３合成手段によりこれら２つの画像は合成処理が行われ３００４の目的の出力画像が得られる。
【００７１】
図１７のページ番号を付加する場合について説明する。
【００７２】
操作者が３１０１被合成画像を印刷する際に、説明のためのページ番号を付加してつけて３１０４のような出力画像を得るのが目的となる。
【００７３】
３１０１は３００１と同様の被合成画像である。３１０２はページ番号のビットマップ画像であり、同一Ｊｏｂ内で３１０４出力画像を作るたびにインクリメントした数字をビットマップに変換したものである。これらは合成手段３１０３にて合成され、３１０４の出力画像を得ることが可能となる。開始ページＮｏや印刷位置は非図示の操作部において設定可能である。通常ＰＣ上で動作するアプリケーションに関しては普通の処理であるが、既にＢｉｔＭａｐ化されている画像複写装置内のデータにおいても、合成処理であるため、本機能を用いる事によりページ番号を付加することが可能である。
【００７４】
図１８は図１６のフォーム合成に対し、本発明が問題としている現象である。
【００７５】
３２０１はすでにフォーム合成処理が施されている原稿である。これを知らない操作者が３２０２の同一の意味をなすＣｏｎｆｉｄｅｎｔｉａｌの付加情報を３２０３の合成手段により合成した場合、３２０４のようにフォーム部が重なって見にくい出力画像になってしまう。また、ここでは図を示さないが、フォームの種類がページ番号だった場合、位置が同一だった場合にはページＮｏが重なって見づらい、また位置が異なる場合は２つ表示され、さらにこれらが異なる番号になる場合さえある。
【００７６】
＜本発明の目的＞
これらの不具合を解消するために、本実施例においては被合成画像にすでにフォーム合成がなされているかどうかを検出し、すでに合成されていた場合、警告を行う、自動的にフォーム合成をキャンセルする、被原稿画像のフォーム画像部分を消去して新しいフォーム合成を行うようにする。
【００７７】
これを実現するための手段を以下に記載する。
【００７８】
＜ユーザＩ／Ｆ＞
図１９は操作者が合成を支持する操作部の図である。
【００７９】
３３０１はフォーム合成の設定を行なう画面である。
【００８０】
３３０２はフォーム合成のスタンプ機能を有効とするラジオボタンである。３３０３は定型もしくは登録されている文字を選択するエリアである。その右にその文字を合成する際のパラメータである、角度とサイズを入力するエリアがある。３３０４は合成されるイメージをプレビューするエリアである。３３０５は既にフォーム合成処理されていた場合に本設定を無効にする為のスイッチである。
【００８１】
３３０６は３３０２と同様にページ番号を振る設定を行なう為のラジオボタンである。同様に、ページ番号のフォーマット・つける位置、開始番号、及び増分を設定するエリアとプレビューを行なうエリアがある。３３０７は既にページ番号が振られていた場合にそれを消去するか否かを設定するスイッチである。
ユーザはこの画面でフォーム合成仕様を入力する。
【００８２】
＜フォーム仕様＞
図２０は図１９ユーザインタフェイスが生成するフォーム仕様のデータ構造である。
【００８３】
３４０１はページ番号付加、スタンプ文字付加等のフォーム合成の種類が何であるかを格納する場所である。３４０２は３４０１がスタンプだった場合に、その文字列を格納する場所である。３４０３は合成する画像の角度を格納する場所である。３４０４は合成画像の領域を格納する場所である。３４０５〜３４０６は後に説明する。
【００８４】
＜本発明の処理説明＞
図２２は本発明の処理のブロック図である。
【００８５】
３６０１は画像読み取り装置であり、紙・本などの原稿を読み取り画像を生成する事が可能である。３６０２は記憶装置であり、画像情報を蓄積しておくことが可能である。３６０３はＰＤＬであり、ページ記述言語から画像を生成する事が可能である。これら複数の画像入力手段は３８０４セレクタにて必要に応じて切り替えられ、選択された被合成画像は３６０５に流れる。
【００８６】
３６０６では図１９の操作画面で操作者が設定した合成内容から図２０のフォーム仕様を作成し３６０７に送信する。３６０８フォーム検出手段は３６０５非合成画像に対して３６０７フォーム仕様が含まれるかどうかを検出し、図２０フォーム仕様の３４０５に判定結果と、マスクを行う場合３４０６マスク領域を付加し、３６０９にフォーム仕様を送信する。３６１０マスク手段は、３６０５被合成画像に対し、３６０９のフォーム仕様内の３４０６マスク領域が設定されていた場合に、３６０５被合成画像に白もしくは背景色等のマスクを施して３６１１に画像を送信する。３６１４フォーム作成手段は３６１２の記憶装置から３６０７のフォーム仕様に対応する画像を３６１５に送信する。３６１６合成回路は３６０９フォーム仕様の３４０５判定結果がＮＧの場合に限り、３６１１の画像と３６１５の画像を合成して３６１６の合成画像を生成する。
【００８７】
＜フォーム検出手段の詳細な説明＞
３６０８のフォーム検出手段の詳細な図を図２１に示す。
【００８８】
３５０１は３６０５から入力される被合成画像である。３５０２は３６０７から入力されるフォーム仕様である。
【００８９】
３５０３のフォームチェック手段で行われるフローを図２４に示す。
【００９０】
３３０７のスイッチが有効ではない場合はこのフローはキャンセルされる。
【００９１】
３９０１で３５０２フォーム仕様内の３４０１のフォーム種類がページ番号か否かを判断する。ページ番号でない場合はこのフローを抜ける。ページ番号だった場合、３９０２で３５０１の非合成画像にページ番号がついているかどうかを検出する。ページ番号はページの右上、左上、右下、左下、中央下に配置されるため、その領域に対してＯＣＲをかけ数字の検出できるかどうかを解析する。その解析結果、３９０３でページ番号を検出する事ができなかった場合このフローを抜ける。３９０３でページ番号が検出できた場合は、３９０４でページ番号を検出した領域を３５０２ページ仕様内の３４０６マスク領域に設定する。その結果、３５０３はフォーム種類がページ番号だった場合３５０２のフォーム仕様に必要な情報を付加し、新たなフォーム仕様として３５０４に出力する。
【００９２】
次に３５０６の文字検出部のフローを図２５に示す。
【００９３】
３３０５のスイッチが有効ではない場合はこのフローはキャンセルされる。
【００９４】
３５０６は３５０３で情報付加されたフォーム仕様３５０４および３５０１から入力された被合成画像３５０５から文字列を抽出する手段である。４００１はフォーム仕様から３４０１のフォーム種がスタンプか否かを判定し、スタンプ以外の場合はこのフローを抜ける。４００２でフォーム仕様の３４０４の領域に対して３４０３の角度でＯＣＲをかけ、文字列を抽出する。４００３で４００２の検出文字列がフォーム仕様の３４０２文字列と同等か否かを判断する。この時、３４０２文字列がＣｏｎｆｉｄｅｎｔｉａｌが設定されているとして、３５０５の非合成画像からマル秘の文字が検出された場合、これらの文字が意味する事は同一であるため、４００３の判定結果はマッチしたと判断する。この条件がマッチした場合、同一の意味のフォーム合成がすでに行われると判断し、４００４でフォーム仕様の３４０５判定結果にＯＫに設定してこのフローを抜ける。４００３で判定がマッチしなかった場合、４００５でフォーム合成をする事を意味する判定結果をＮＧにする。このブロックで情報負荷されたフォーム仕様は３５０７に出力される。このブロックにおいては３５０１被合成画像は３５０７のフォーム仕様を作成するためだけに使用される。
【００９５】
＜ＢｉｔＭａｐ画像のイメージ＞
図２３に、既にページ番号が振られている原稿に対して、フォーム合成「ページ番号付加」を行なった際の画像イメージを付加する。画像の下の数字は図２２の各所に対応した数字である。
【図面の簡単な説明】
【００９６】
【図１】本発明に係わるデータ処理装置としてのデジタル複合機の１実施例形態を示すブロック構成図である。
【図２】デジタル複合機の内部構成図である。
【図３】本発明に係わる電子部品としてのコントローラ部の詳細を示すブロック構成図である。
【図４】メインコントローラの詳細を示すブロック構成図である。
【図５】操作部１５０の例を示す図である。
【図６】「連続読込モード」時の原稿読込設定画面の例を示す図である。
【図７】読込画像確認画面の例を示す図である。
【図８】連続読込コピー処理のフローチャートである。
【図９】原稿読込処理のフローチャートである。
【図１０】蓄積画像確認（プレビュー）処理のフローチャートである。
【図１１】制御装置内部のソフトウェア構造を示す図である。
【図１２】ジョブ制御部の構造を示す図である。
【図１３】文書管理部の管理構造を示す図である。
【図１４】コピージョブの構成例を示す図である。
【図１５】コピージョブ実行中の文書管理部との関係を抜粋した図である。
【図１６】フォーム合成の図。
【図１７】フォーム合成の図。
【図１８】フォーム合成の図。
【図１９】ＵＩの図。
【図２０】フォーム仕様の図。
【図２１】文字列検出部。
【図２２】ブロック構成図。
【図２３】画像イメージ。
【図２４】フローチャート。
【図２５】フローチャート。
【符号の説明】
【００９７】
３００  プリンタ装置
６０１  ＰＣ
６００  ＬＡＮ
【図１】
2006246167.tif 000003
【図２】
2006246167.tif 000004
【図３】
2006246167.tif 000005
【図４】
2006246167.tif 000006
【図５】
2006246167.tif 000007
【図６】
2006246167.tif 000008
【図７】
2006246167.tif 000009
【図８】
2006246167.tif 000010
【図９】
2006246167.tif 000011
【図１０】
2006246167.tif 000012
【図１１】
2006246167.tif 000013
【図１２】
2006246167.tif 000014
【図１３】
2006246167.tif 000015
【図１４】
2006246167.tif 000016
【図１５】
2006246167.tif 000017
【図１６】
2006246167.tif 000018
【図１７】
2006246167.tif 000019
【図１８】
2006246167.tif 000020
【図１９】
2006246167.tif 000021
【図２０】
2006246167.tif 000022
【図２１】
2006246167.tif 000023
【図２２】
2006246167.tif 000024
【図２３】
2006246167.tif 000025
【図２４】
2006246167.tif 000026
【図２５】
2006246167.tif 000027